【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
通信装置であって、
第一の通信によって外部装置と接続するための第一の通信インターフェースと、
前記第一の通信とは異なる第二の通信によって前記外部装置と接続するための第二の通信インターフェースと、
前記第一の通信インターフェースを介して前記外部装置と接続するための通信パラメータを、前記第二の通信インターフェースを介して前記外部装置と共有するよう制御する制御手段とを有し、
前記通信パラメータは、前記第一の通信で用いる通信プロトコルのタイプによって規定される前記通信装置の識別情報を含むことを特徴とする通信装置。
【請求項２】
前記第一の通信インターフェースは、前記第一の通信における複数の通信プロトコルのタイプを介した通信に対応し、
前記外部装置と共有される前記通信パラメータは、前記外部装置との前記第一の通信で用いる通信プロトコルのタイプによって規定される前記通信装置の識別情報を含むことを特徴とする請求項１に記載の通信装置。
【請求項３】
前記第一の通信インターフェースは、前記第一の通信における複数の通信プロトコルのタイプを介した通信に対応し、
前記制御手段は、前記外部装置との前記第一の通信で用いる通信プロトコルのタイプを、前記第二の通信インターフェースを介して受信するよう制御し、
前記外部装置と共有される前記通信パラメータは、前記受信した通信プロトコルのタイプによって規定される前記通信装置の識別情報を含むことを特徴とする請求項１に記載の通信装置。
【請求項４】
前記複数の通信プロトコルのタイプ毎に規定される前記通信装置の識別情報を生成する生成手段を更に有することを特徴とする請求項２または３に記載の通信装置。
【請求項５】
前記生成手段は、前記第二の通信インターフェースを介して前記外部装置との前記第一の通信で用いる通信プロトコルのタイプを受信したことに応じて、前記通信装置の識別情報を生成することを特徴とする請求項４に記載の通信装置。
【請求項６】
前記制御手段は、前記第二の通信インターフェースを介して、複数の外部装置と通信パラメータを共有する機能を有し、
前記生成手段は、前記複数の外部装置のそれぞれに対して個別に識別情報を生成することを特徴とする請求項４に記載の通信装置。
【請求項７】
前記第一の通信インターフェースは、前記第一の通信における複数の通信プロトコルのタイプを介した通信に対応し、
前記制御手段は、前記第二の通信インターフェースを介して、複数の外部装置毎に対応する通信パラメータを共有する機能を有することを特徴とする請求項１に記載の通信装置。
【請求項８】
前記通信装置の記録領域のうち、前記第一の通信インターフェースを介して前記外部装置が読み出し可能な記録領域に、前記外部装置と前記第二の通信インターフェースを介して共有した識別情報を記録する記録制御手段を更に有することを特徴とする請求項１に記載の通信装置。
【請求項９】
前記識別情報の共有に失敗した場合、前記記録制御手段は、前記識別情報を前記記録領域に記録しないよう制御することを特徴とする請求項８に記載の通信装置。
【請求項１０】
前記外部装置が読み出し可能な記録領域から、前記外部装置と前記第二の通信インターフェースを介して共有した識別情報が前記外部装置により読み出された場合、前記読み出された識別情報を消去する消去手段を更に有することを特徴とする請求項８に記載の通信装置。
【請求項１１】
前記制御手段は、前記第二の通信インターフェースを介して前記外部装置と共有した通信パラメータを、前記第一の通信インターフェースを介して前記外部装置に送信するよう制御することを特徴とする請求項１乃至１０のいずれか１項に記載の通信装置。
【請求項１２】
前記制御手段は、前記第二の通信インターフェースを介して前記外部装置と共有した通信パラメータを、前記第一の通信インターフェースを介して前記外部装置に送信する前に、前記通信パラメータとは異なる通信パラメータを他の外部装置と共有することが可能であることを特徴とする請求項１１に記載の通信装置。
【請求項１３】
前記制御手段は、前記第二の通信インターフェースを介して前記外部装置と共有した通信パラメータを、前記第一の通信インターフェースを介して前記外部装置に送信した後に、前記第一の通信インターフェースを介して前記外部装置とのアプリケーションレイヤの通信を開始するよう制御することを特徴とする請求項１１に記載の通信装置。
【請求項１４】
前記第一の通信よりも前記第二の通信のほうが通信可能な距離が長いことを特徴とする請求項１乃至１３のいずれか１項に記載の通信装置。
【請求項１５】
前記第一の通信はＮＦＣであり、前記第二の通信は無線ＬＡＮであり、
前記通信プロトコルは、ＮＦＣのｔｙｐｅＡ、ｔｙｐｅＢ、ｔｙｐｅＦの少なくともいずれか一つを含むことを特徴とする請求項１乃至１４のいずれか１項に記載の通信装置。
【請求項１６】
通信装置であって、
複数の通信プロトコルのタイプを有する第一の通信によって外部装置と接続するための第一の通信インターフェースと、
前記第一の通信とは異なる第二の通信によって前記外部装置と接続するための第二の通信インターフェースと、
前記複数の通信プロトコルのタイプ毎に規定されるデータフォーマットに応じた前記通信装置の識別情報を生成する生成手段と、
前記外部装置との通信を制御する制御手段とを有し、
前記制御手段は、前記第一の通信の複数の通信プロトコルのタイプのうち前記外部装置が対応する通信プロトコルのタイプを、前記第二の通信インターフェースを介して受信するよう制御し、
前記制御手段は、前記受信した通信プロトコルのタイプで規定されるデータフォーマットに応じた前記通信装置の識別情報を前記第二の通信を介して前記外部装置に送信するよう制御し、
前記第一の通信を介して前記外部装置と接続した場合、前記制御手段は、前記受信した通信プロトコルのタイプで規定されるデータフォーマットに応じた前記通信装置の識別情報を、前記第一の通信を介して前記外部装置に送信するよう制御することを特徴とする通信装置。
【請求項１７】
第一の通信によって外部装置と接続するための第一の通信インターフェースと、前記第一の通信とは異なる第二の通信によって前記外部装置と接続するための第二の通信インターフェースとを持つ通信装置の制御方法であって、
前記第一の通信インターフェースを介して前記外部装置と接続するための通信パラメータを、前記第二の通信インターフェースを介して前記外部装置と共有するよう制御するステップを有し、
前記通信パラメータは、前記第一の通信で用いる通信プロトコルのタイプによって規定される前記通信装置の識別情報を含むことを特徴とする通信装置の制御方法。
【請求項１８】
複数の通信プロトコルのタイプを有する第一の通信によって外部装置と接続するための第一の通信インターフェースと、前記第一の通信とは異なる第二の通信によって前記外部装置と接続するための第二の通信インターフェースとを持つ通信装置の制御方法であって、
前記複数の通信プロトコルのタイプ毎に規定されるデータフォーマットに応じた前記通信装置の識別情報を生成するステップと、
前記第一の通信の複数の通信プロトコルのタイプのうち前記外部装置が対応する通信プロトコルのタイプを、前記第二の通信インターフェースを介して受信するよう制御するステップと、
前記受信した通信プロトコルのタイプで規定されるデータフォーマットに応じた前記通信装置の識別情報を前記第二の通信を介して前記外部装置に送信するよう制御するステップと、
前記第一の通信を介して前記外部装置と接続した場合、前記受信した通信プロトコルのタイプで規定されるデータフォーマットに応じた前記通信装置の識別情報を、前記第一の通信を介して前記外部装置に送信するよう制御するステップとを有することを特徴とする通信装置の制御方法。
【請求項１９】
コンピュータを、請求項１乃至１５のいずれか１項に記載の通信装置の各手段として機能させるための、コンピュータが読み取り可能なプログラム。
【請求項２０】
コンピュータを、請求項１６に記載の通信装置の各手段として機能させるための、コンピュータが読み取り可能なプログラム。
【手続補正２】
【補正対象書類名】明細書
【補正対象項目名】発明の名称
【補正方法】変更
【補正の内容】
【発明の名称】通信装置及びその制御方法、並びにプログラム
【手続補正３】
【補正対象書類名】明細書
【補正対象項目名】０００１
【補正方法】変更
【補正の内容】
【０００１】
本発明は、通信装置及びその制御方法、並びにプログラムに関する。
【手続補正４】
【補正対象書類名】明細書
【補正対象項目名】０００６
【補正方法】変更
【補正の内容】
【０００６】
上記目的を達成するために、本発明の通信装置は、第一の通信によって外部装置と接続するための第一の通信インターフェースと、前記第一の通信とは異なる第二の通信によって前記外部装置と接続するための第二の通信インターフェースと、前記第一の通信インターフェースを介して前記外部装置と接続するための通信パラメータを、前記第二の通信インターフェースを介して前記外部装置と共有するよう制御する制御手段とを有し、前記通信パラメータは、前記第一の通信で用いる通信プロトコルのタイプによって規定される前記通信装置の識別情報を含むことを特徴とする。